(57)【特許請求の範囲】
【請求項１】
集合住宅のエントランスに設置され、来訪者を撮像するためのカメラ（１１）を備えたカメラ付集合玄関機（１）と、前記集合住宅の各住戸内に設置され、前記カメラ付集合玄関機との通話を行なう通話機能、ガスや火災等の非常事態をセンサ（Ｓ）により監視するセキュリティ監視機能、前記カメラで撮像された前記来訪者の映像および前記センサからのセキュリティ情報を表示するモニタ（２１）を有する居室親機（２）と、前記各住戸に設置され、前記来訪者が居住者を呼出すための呼出ボタンを有する玄関子機（７）と、前記カメラ付集合玄関機および前記居室親機と呼出・通話ライン（Ｌ２ａ）を介して接続され前記カメラ付集合玄関機から前記居室親機への呼出および前記カメラ付集合玄関機、前記居室親機間の通話の制御を行なうためのシステム制御機（４）と、前記カメラ付集合玄関機および前記居室親機と映像ライン（Ｌ２ｂ）を介して接続され前記カメラ付集合玄関機、前記居室親機間の映像信号の制御を行なうための映像制御機（５）とを備え、
前記居室親機には、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したとき終話する通話ボタン（２３）との少なくとも何れか一方を備え、
前記玄関子機には、前記映像ラインを介して伝送された映像信号を電気的に処理し中継する中継アダプタ（７１）を備え、
前記中継アダプタは、各居室に前記映像信号を伝送する前記映像ラインを差込み固定する速結端子（Ｔ２）および前記居室親機、前記玄関子機間の伝送ライン（Ｌ３）を差込み固定する居室用速結端子（Ｔ５）を有する速結端子構造と、前記速結端子構造を有する面以外の面に、前記中継アダプタおよび前記玄関子機を電気的に接続するためのコネクタ（７１ｃ）および前記コネクタに結合されるハウジング（７０ｃ）の一方を設けるスライド係合によるコネクタ結合構造とを備え、前記コネクタおよび前記ハウジングの他方を前記玄関子機に設けることを特徴とする集合住宅インターホンシステム。
【請求項２】
集合住宅の各住戸内に設置され、通話を行なう通話機能、ガスや火災等の非常事態をセンサ（Ｓ）により監視するセキュリティ監視機能、前記センサからのセキュリティ情報を表示するモニタ（２１）を有する居室親機（２）と、前記居室親機と呼出・通話ライン（Ｌ２ａ）、映像ライン（Ｌ２ｂ）を介して接続され、集合住宅のエントランスに設置されて前記居室親機との通話を行なうとともに来訪者を撮像して映像を前記居室親機の前記モニタへ伝送するためのカメラ（１１）を備えたカメラ付集合玄関機、前記カメラ付集合玄関機から前記居室親機への呼出および前記カメラ付集合玄関機、前記居室親機間の通話の制御を行なうためのシステム制御機および前記カメラ付集合玄関機、前記居室親機間の映像信号の制御を行なうための映像制御機を一体化した一体型集合玄関機・制御機（１ａ）と、前記各住戸に設置され、前記来訪者が居住者を呼出すための呼出ボタンを有する玄関子機（７）とを備え、
前記居室親機には、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したとき終話する通話ボタン（２３）との少なくとも何れか一方を備え、
前記玄関子機には、前記映像ラインを介して伝送された映像信号を電気的に処理し中継する中継アダプタ（７１）を備え、
前記中継アダプタは、各居室に前記映像信号を伝送する前記映像ラインを差込み固定する速結端子（Ｔ２）および前記居室親機、前記玄関子機間の伝送ライン（Ｌ３）を差込み固定する居室用速結端子（Ｔ５）を有する速結端子構造と、前記速結端子構造を有する面以外の面に、前記中継アダプタおよび前記玄関子機を電気的に接続するためのコネクタ（７１ｃ）および前記コネクタに結合されるハウジング（７０ｃ）の一方を設けるスライド係合によるコネクタ結合構造とを備え、前記コネクタおよび前記ハウジングの他方を前記玄関子機に設けることを特徴とする集合住宅インターホンシステム。
【請求項３】
集合住宅のエントランスに設置され、来訪者を撮像するためのカメラ（１１）を備えたカメラ付集合玄関機（１）と、前記集合住宅の各住戸内に設置され、前記カメラ付集合玄関機との通話を行なう通話機能、ガスや火災等の非常事態をセンサ（Ｓ）により監視するセキュリティ監視機能、前記カメラで撮像された前記来訪者の映像および前記センサからのセキュリティ情報を表示するモニタ（２１）を有する居室親機（２）と、前記各住戸に設置され、前記来訪者が居住者を呼出すための呼出ボタンを有する玄関子機（７）と、前記カメラ付集合玄関機および前記居室親機と呼出・通話ライン（Ｌ２ａ）を介して接続され前記カメラ付集合玄関機から前記居室親機への呼出および前記カメラ付集合玄関機、前記居室親機間の通話の制御を行なうためのシステム制御機に前記居室親機からのセキュリティ情報を受信し防火管理者に通報する住棟受信機能を一体化した一体盤（１ｂ）と、前記カメラ付集合玄関機および前記居室親機と映像ライン（Ｌ２ｂ）を介して接続され前記カメラ付集合玄関機、前記居室親機間の映像信号の制御を行なうための映像制御機（５）とを備え、
前記居室親機には、前記来訪者からの呼出に対してフックオフ操作したときに通話を行ない、フックオンした時に終話するハンドセット（３１）と、前記ハンドセットがフックオンしている状態において、前記来訪者からの呼出の応答操作するとハンズフリーで通話を行ない、再度操作したとき終話する通話ボタン（２３）との少なくとも何れか一方を備え、
前記玄関子機には、前記映像ラインを介して伝送された映像信号を電気的に処理し中継する中継アダプタ（７１）を備え、
前記中継アダプタは、各居室に前記映像信号を伝送する前記映像ラインを差込み固定する速結端子（Ｔ２）および前記居室親機、前記玄関子機間の伝送ライン（Ｌ３）を差込み固定する居室用速結端子（Ｔ５）を有する速結端子構造と、前記速結端子構造を有する面以外の面に、前記中継アダプタおよび前記玄関子機を電気的に接続するためのコネクタ（７１ｃ）および前記コネクタに結合されるハウジング（７０ｃ）の一方を設けるスライド係合によるコネクタ結合構造とを備え、前記コネクタおよび前記ハウジングの他方を前記玄関子機に設けることを特徴とする集合住宅インターホンシステム。
【請求項４】
前記中継アダプタは、各居室に配線される前記映像ラインおよび前記呼出・通話ラインを差込み固定する速結端子（Ｔ１、Ｔ２）を有する速結端子構造であることを特徴とする請求項１乃至請求項３何れか１項記載の集合住宅インターホンシステム。
【発明の詳細な説明】
【０００１】
【発明の属する技術分野】
【０００２】
本発明は、集合住宅インターホンシステムに係り、特に、施工性を向上させ、配線の省線化を図ることができる集合住宅インターホンシステムに関する。
【従来の技術】
【０００３】
従来から、この種の集合住宅インターホンシステムとして、特開平５−９１５１５号公報に示すような構成のものが知られている。
【０００４】
この集合住宅インターホンシステムは、カメラ付集合玄関機と、このカメラ付集合玄関機に同軸ケーブルや平衡ケーブルを介して接続された居室親機とを備えている。
【０００５】
ここで、居室親機は、カメラ付集合玄関機のテレビカメラで撮像された映像を出画するモニタ部分と、カメラ付集合玄関機と通話するための通話部分とがセパレートされており、これらのモニタ部分と通話部分に対して同軸ケーブルや平衡ケーブルが接続されている。
【発明が解決しようとする課題】
【０００６】
しかしながら、このような構成の集合住宅インターホンシステムにおいては、居室親機のモニタ部分と通話部分とをそれぞれ別個に施工しなければならないことから、居室親機の施工性が悪く、また、モニタ部分と通話部分に対してそれぞれ別個に配線しなければならないことから、配線数が多くなり、煩雑になるという難点があった。さらに、カメラ付集合玄関機と居室親機間の伝送ラインが長いことから、伝送ラインが絡まるなどの虞もあった。
【０００７】
本発明は、このような難点を解決するためになされたもので、居室親機の施工性を向上させ、また、居室親機に対する配線の省線化を図ることができ、さらに、カメラ付集合玄関機と居室親機間の伝送ラインが絡まる虞のない集合住宅インターホンシステムを提供することを目的とする。
【課題を解決するための手段】
【０００８】
上記の目的を達成するため、本発明の集合住宅インターホンシステムは、集合住宅のエントランスに設置され、来訪者を撮像するためのカメラを備えたカメラ付集合玄関機と、集合住宅の各住戸内に設置され、カメラ付集合玄関機との通話を行なう通話機能、ガスや火災等の非常事態をセンサにより監視するセキュリティ監視機能、カメラで撮像された来訪者の映像およびセンサからのセキュリティ情報を表示するモニタを有する居室親機と、各住戸に設置され、来訪者が居住者を呼出すための呼出ボタンを有する玄関子機と、カメラ付集合玄関機および居室親機と呼出・通話ラインを介して接続されカメラ付集合玄関機から居室親機への呼出およびカメラ付集合玄関機、居室親機間の通話の制御を行なうためのシステム制御機と、カメラ付集合玄関機および居室親機と映像ラインを介して接続されカメラ付集合玄関機、居室親機間の映像信号の制御を行なうための映像制御機とを備えている。
【０００９】
また、本発明の集合住宅インターホンシステムは、集合住宅の各住戸内に設置され、通話を行なう通話機能、ガスや火災等の非常事態をセンサにより監視するセキュリティ監視機能、センサからのセキュリティ情報を表示するモニタを有する居室親機と、居室親機と呼出・通話ライン、映像ラインを介して接続され、集合住宅のエントランスに設置されて居室親機との通話を行なうとともに来訪者を撮像して映像を居室親機のモニタへ伝送するためのカメラを備えたカメラ付集合玄関機、カメラ付集合玄関機から居室親機への呼出およびカメラ付集合玄関機、居室親機間の通話の制御を行なうためのシステム制御機およびカメラ付集合玄関機、居室親機間の映像信号の制御を行なうための映像制御機を一体化した一体型集合玄関機・制御機と、各住戸に設置され、来訪者が居住者を呼出すための呼出ボタンを有する玄関子機とを備えている。
【００１０】
また、本発明の集合住宅インターホンシステムは、集合住宅のエントランスに設置され、来訪者を撮像するためのカメラを備えたカメラ付集合玄関機と、集合住宅の各住戸内に設置され、カメラ付集合玄関機との通話を行なう通話機能、ガスや火災等の非常事態をセンサにより監視するセキュリティ監視機能、カメラで撮像された来訪者の映像およびセンサからのセキュリティ情報を表示するモニタを有する居室親機と、各住戸に設置され、来訪者が居住者を呼出すための呼出ボタンを有する玄関子機と、カメラ付集合玄関機および居室親機と呼出・通話ラインを介して接続されカメラ付集合玄関機から居室親機への呼出およびカメラ付集合玄関機、居室親機間の通話の制御を行なうためのシステム制御機に居室親機からのセキュリティ情報を受信し防火管理者に通報する住棟受信機能を一体化した一体盤と、カメラ付集合玄関機および居室親機と映像ラインを介して接続されカメラ付集合玄関機、居室親機間の映像信号の制御を行なうための映像制御機とを備えている。
【００１１】
これらの集合住宅インターホンシステムにおいて、居室親機には、来訪者からの呼出に対してフックオフ操作したときに通話を行ない、フックオンした時に終話するハンドセットと、ハンドセットがフックオンしている状態において、来訪者からの呼出の応答操作するとハンズフリーで通話を行ない、再度操作したとき終話する通話ボタンとの少なくとも何れか一方を備え、玄関子機には、映像ラインを介して伝送された映像信号を電気的に処理し中継する中継アダプタを備えている。
【００１２】
本発明の集合住宅インターホンシステムにおける中継アダプタは、中継アダプタは、各居室に映像信号を伝送する映像ラインを差込み固定する速結端子および居室親機、玄関子機間の伝送ラインを差込み固定する居室用速結端子を有する速結端子構造と、速結端子構造を有する面以外の面に、中継アダプタおよび玄関子機を電気的に接続するためのコネクタおよびコネクタに結合されるハウジングの一方を設けるスライド係合によるコネクタ結合構造とを備え、コネクタおよびハウジングの他方を玄関子機に設けている。
【００１３】
また、本発明の集合住宅インターホンシステムにおける中継アダプタは、各居室に配線される映像ラインおよび呼出・通話ラインを差込み固定する速結端子を有する。
【００１４】
本発明の集合住宅インターホンシステムによれば、居室親機のモニタ部分と通話部分が一体化されていることから、居室親機の施工性を向上させることができ、また一体化された居室親機に対して配線すればよいことから、伝送ラインの省線化を図ることができる。さらに、各種の伝送ラインが中継アダプタに接続され、この中継アダプタが玄関子機に着脱自在に装着されることから、さらに施工性を向上させることができ、また、呼出・通話ラインや映像ラインが短くなることから、これらの呼出・通話ラインや映像ラインが絡まる虞もなくなる。
【発明の実施の形態】
【００１５】
以下、本発明の集合住宅インターホンシステムを適用した好ましい実施の形態例について、図面を参照して詳述する。
【００１６】
図１において、本発明の集合住宅インターホンシステムは、集合住宅のエントランスに設置されるカメラ付集合玄関機１と、集合住宅の各住戸内に設置される居室親機２と、管理室に設置される管理室親機３と、カメラ付集合玄関機１から居室親機２への呼出およびカメラ付集合玄関機１、居室親機２間の通話の制御を行なうためのシステム制御機４と、カメラ付集合玄関機１、居室親機２間の映像信号の制御を行なうための映像制御機５と、集合住宅のエントランスに設置されるオートドア６と、各住戸に設置され、来訪者が居住者を呼出すための呼出ボタン（不図示）と中継アダプタ７１とを有する玄関子機７と、火災信号を中継する中継機８と、共用部に設置される住棟受信機９と、第１〜第３の火災センサＦＳａ〜ＦＳｃから成る火災センサＦＳやガスセンサＧＳ等のセンサＳとを備えている。ここで、カメラ付集合玄関機１は、第１の呼出・通話ラインＬ１ａを介してシステム制御機４に、第１の映像ラインＬ１ｂを介して映像制御機５に、第４の伝送路Ｌ４を介してオートドア６にそれぞれ接続され、システム制御機４には第２の呼出・通話ラインＬ２ａを介して各住戸の中継アダプタ７１が、映像制御機５には第２の映像ラインＬ２ｂを介して各住戸の中継アダプタ７１がそれぞれ接続されている。また、各住戸の中継アダプタ７１は、第３の伝送ラインＬ３を介して対応する居室親機２に、管理室親機３は、第５の伝送路Ｌ５を介してシステム制御機４に、居室親機２は、中継機８およびガスセンサＧＳにそれぞれ接続され、中継機８には、第１〜第３の火災センサＦＳａ〜ＦＳｃおよび第６の伝送ラインＬ６を介して住棟受信機９が接続されている。
【００１７】
カメラ付集合玄関機１は、来訪者を撮像するためのカメラ１１と、テンキー１２と、玄関機スピーカ１３と、玄関機マイク１４と、呼出ボタン１５とを備えている。
【００１８】
居室親機２は、図２に示すように、カメラ付集合玄関機１からの映像を出画するモニタ２１と、オートドア６を通話中に解錠信号により解錠する解錠ボタン２２と、カメラ付集合玄関機１からの呼び出しに応答するための通話ボタン２３と、通話回路２４ａ、親機スピーカ２４ｂおよび親機マイク２４ｃで構成される通話部２４と、センサＳが作動したときに点灯する専用表示灯２５と、非常ボタン２６と、警報音復旧停止ボタン２７と、インターフェース２８と、モニタ駆動回路２９と、各部（回路）を制御する制御部３０とを備えている。ここで、制御部３０は、モニタ２１、解錠ボタン２２、通話ボタン２３、通話回路２４ａ、専用表示灯２５、非常ボタン２６、警報音復旧停止ボタン２７、インターフェース２８およびモニタ駆動回路２９に接続され、通話回路２４ａには親機スピーカ２４ｂおよび親機マイク２４ｃが接続されている。
【００１９】
玄関子機７は、図３（ａ）に示すように、プラスチックのような弾性材料（例えばＡＢＳ樹脂など）で成形されたケース７０ａ（以下「子機ケース７０ａ」という。）を備えており、この子機ケース７０ａの上面の略中央部には、後述する中継アダプタ７１を装着するための矩形状の切欠部７０ｂが形成され、この切欠部７０ｂの奥壁部には多数の接続子７００ｃ（以下「子機側接続子７００ｃ」という。）を有するハウジング７０ｃ（以下「子機側ハウジング７０ｃ」という。）が設けられ、また、底部の略中央部には係合ツメ７０ｄが設けられている。
【００２０】
中継アダプタ７１は、図３（ｂ）に示すように、プラスチックのような弾性材料（例えばＡＢＳ樹脂など）で成形されたケース７１ａ（以下「アダプタケース７１ａ」という。）を備えており、このアダプタケース７１ａには、それぞれ一対の速結端子で構成される第１〜第４の速結端子Ｔ１〜Ｔ４および一対の速結端子で構成される居室用速結端子Ｔ５が設けられている。ここで、第１の速結端子Ｔ１にはシステム制御機４側のペア線から成る第２の呼出・通話ラインＬ２ａの端末部が、第２の速結端子Ｔ２には映像制御機５側のペア線から成る第２の映像ラインＬ２ｂの端末部が、第３の速結端子Ｔ３には他の玄関子機側のペア線から成る第２の呼出・通話ラインＬ２ａの端末部が、第４の速結端子Ｔ４には他の玄関子機側のペア線から成る第２の映像ラインＬ２ｂの端末部が、居室用速結端子Ｔ５にはペア線から成る第３伝送ラインＬ３がそれぞれ差込み固定されている。
【００２１】
また、アダプタケース７１ａの先端部には、子機側接続子７００ｃに対応する多数の接続子７１０ｃ（以下「アダプタ側接続子７１０ｃ」という。）を有するコネクタ７１ｃ（以下「アダプタ側コネクタ７１ｃ」という。）が設けられ、アダプタケース７１ａの背面には、図３（ｃ）に示すように、係合ツメ７０ｄに対応する係合溝７１ｄが形成されている。
【００２２】
ここで、第１の速結端子Ｔ１は対応するアダプタ側接続子７１０ｃと第３の速結端子Ｔ３に電気的に接続され、第２の速結端子Ｔ２は対応するアダプタ側接続子７１０ｃと第４の速結端子Ｔ４に電気的に接続されている。また、居室用速結端子Ｔ５は対応するアダプタ側接続子７１０ｃに電気的に接続されている。
【００２３】
このような構成のアダプタケース７１ａを、アダプタ側コネクタ７１ｃを子機側ハウジング７０ｃ側に向けて子機ケース７０ａの切欠部７０ｂに沿ってスライド式に挿入することにより、アダプタ側コネクタ７１ｃのアダプタ側接続子７１０ｃを子機側ハウジング７０ｃの対応する子機側接続子７００ｃにワンタッチで接続することができると共に、係合ツメ７０ｄを係合溝７１ｄに着脱自在に装着することができる。このようにコネクタとハウジングを接続することにより、居室親機２を第３の伝送ラインＬ３を介して玄関子機７に電気的に接続することができる。
【００２４】
ここで、図３の実施例においては、子機ケース７０ａに係合ツメ７０ｄを形成し、中継アダプタ７１に係合溝７１ｄを形成しているが、中継アダプタ７１に係合ツメ７０ｄを形成し、子機ケース７０ａに係合溝７１ｄを形成してもよい。
【００２５】
次に、このように構成された本発明の集合住宅インターホンシステムの動作について説明する。
【００２６】
先ず、来訪者が住戸内の居住者を呼出すために、カメラ付集合玄関機１のテンキー１２で居室親機２の部屋番号を入力し、呼出ボタン１５を押下すると、呼出信号が第１の呼出・通話ラインＬ１ａ、システム制御機４、第２の呼出・通話ラインＬ２ａ、玄関子機７、第３の伝送ラインＬ３およびインターフエース２８を介して制御部３０へ伝送される。そして、この呼出信号が制御部３０で検出されると、通話回路２４ａが制御され、親機スピーカ２４ｂから呼出音が放音される。
【００２７】
また、これと共に、カメラ付集合玄関機１のカメラ１１によって撮像された来訪者の映像信号が第１の映像ラインＬ１ｂ、映像制御機５、第２の映像ラインＬ２ｂ、映像アダプタ７１、第３の伝送ラインＬ３およびインターフエース２８を介して制御部３０へ伝送される。そして、この映像信号が制御部３０で検出されると、制御部３０の制御により、来訪者の映像がモニタ２１に表示される。
【００２８】
ここで、住戸内の居住者が、親機スピーカ２４ｂから放音される呼出音およびモニタ２１に表示される映像に基づいて来訪者を確認して、通話ボタン２３を押下すると、親機スピーカ２４ｂおよび親機マイク２４ｃと、玄関機スピーカ１３および玄関機マイク１４間に通話路が形成され、これにより、来訪者と住戸内の居住者間で通話することが可能になる。なお、来訪者と住戸内の居住者間の通話は、通話ボタン２３の再度の押下により終了する。
【００２９】
そして、住戸内の居住者が解錠ボタン２２を押下すると、制御部３０から、解錠要求信号が出力され、この解錠要求信号が前述の呼出信号と逆の経路を経由してカメラ付集合玄関機１へ伝送される。この解錠要求信号が玄関機ＣＰＵ（不図示）で検出されると、玄関機ＣＰＵから解錠信号が出力され、この解錠信号が第４の伝走ラインＬ４を介してオートドア６へ伝送され、これにより、オートドア６が解錠される。
【００３０】
また、住戸において火災が発生すると、例えば第１の火災センサＦＳａから火災感知信号が出力され、この火災感知信号が中継器８およびインターフエース２８を介して制御部３０へ伝送される。そして、この火災感知信号が制御部で検出されると、制御部３０の制御により、専用表示灯２５が点滅すると共にモニタ２１に、第１の火災センサＦＳａが火災を感知していることを示すセキュリティ情報が表示される。これにより、住戸内の居住者に対して、火災が発生していることが報知される。
【００３１】
また、これと共に、制御部３０から火災発生信号が出力され、この火災発生信号が中継機８および第６の伝送ラインＬ６を介して住棟受信機９へ伝送される。そして、この火災発生信号が住棟受信機９で検出されると、防火管理責任者に対して、住戸に火災が発生していることが通報されると共に、近隣の住戸に対して火災警報が発報される。
【００３２】
ここで、前述の本実施例においては、火災の発生を火災センサＦＳで検知する場合について説明しているが、ガス漏れ等の発生をガスセンサＧＳで検知した場合も、前述と同様に専用表示灯２５が点滅し、また、モニタ２１にガス漏れ等の事故が発生していることを示すセキュリティ情報が表示される。
【００３３】
次に、管理室親機３から送出される宅配ロッカー（不図示）に荷物がある等の各種情報は、第５の伝送ラインＬ５、システム制御機４、第２の呼出・通話ラインＬ２ａ、玄関子機７、第３の伝送ラインＬ３およびインターフエース２８を介して制御部３０へ伝送され、この各種情報が、制御部３０で検出されると、前述のセキュリティ情報の表示と同様に、モニタ２１に絵文字、画像、文字等が表示される。
【００３４】
図４〜図７は、本発明のテレビインターホンシステムの他の実施例を示している。なお、これらの図において、図１〜図３と共通する部分には同一の符号を付して詳細な説明を省略する。
【００３５】
先ず、図４に示す実施例においては、図２に示す親機スピーカ２４ｂおよび親機マイク２４ｃに代えて、レシーバ３１ａおよびマイク３１ｂで構成されるハンドセット３１が通話回路２４ａに接続されており、また制御部３０には通話ボタン２３に代えてフックスイッチ３２および呼出音発生回路３３が接続され、この呼出音発生回路３３には拡声スピーカ３４が接続されている。
【００３６】
この実施例においては、来訪者からの呼出に対して、ハンドセット３１をフックアップ操作するとフックスイッチ３２が切替えられ、制御部３０の制御により通話回路２４ａが能動となる。これにより、来訪者との通話が可能になる。
【００３７】
次に、図５に示す実施例においては、図２に示す通話回路２４ａにレシーバ３１ａおよびマイク３１ｂで構成されるハンドセット３１がさらに接続され、制御部３０にフックスイッチ３２がさらに接続されている。
【００３８】
この実施例においては、図４に示す実施例と同様に、ハンドセット３１のフックアップ操作によりフックスイッチ３２が切替えられて、来訪者との通話が可能になり、また、ハンドセット３１がフックオンしている状態において、来訪者からの呼出に対してハンズフリーで通話を行ない、通話ボタン２３の再度の押下により通話を終了させることができる。
【００３９】
また、図６に示す実施例においては、図１に示すカメラ付集合玄関機１、システム制御機４および映像制御機５に代えて、これらのカメラ付集合玄関機、システム制御機および映像制御機を一体化した一体型集合玄関機・制御機１ａが使用されている。
【００４０】
この実施例においても、前述のテレビインターホンシステムと同様に、一体型集合玄関機・制御機１ａから、居室親機２に対して呼出信号および映像信号を、オートドア６に対して解錠信号をそれぞれ伝送することができ、また、居室親機２から、一体型集合玄関機・制御機１ａに対して解錠要求信号を伝送することができる。
【００４１】
また、図７に示す実施例においては、図１に示すシステム制御機４に、住棟受信機９における居室親機からのセキュリティ情報を受信し防火管理者に通報する住棟受信機能を一体化した一体盤１ｂが使用されている。
【００４２】
この実施例においても、前述の集合住宅インターホンシステムと同様に、一体盤１ｂから、居室親機２に対して呼出信号を、オートドア６に対して解錠信号を、映像制御機から居室親機２に対して映像信号をそれぞれ伝送することができる。
【発明の効果】
【００４３】
以上の説明から明らかなように、本発明の集合住宅インターホンシステムによれば、居室親機のモニタ部分と通話部分が一体化されていることから、居室親機の施工性を向上させることができ、また、一体化された居室親機に対して配線すればよいことから、伝送ラインの省線化を図ることができる。さらに、各種の伝送ラインが中継アダプタに接続され、この中継アダプタが玄関子機に着脱自在に装着されることから、さらに施工性を向上させることができ、また、呼出・通話ラインや映像ラインが短くなることから、これらの呼出・通話ラインや映像ラインが絡まるなどの虞もなくなる。
【図面の簡単な説明】
【図１】  本発明の集合住宅インターホンシステムのシステム構成図。
【図２】  本発明の集合住宅インターホンシステムにおける居室親機のブロック図。
【図３】  本発明の集合住宅インターホンシステムにおける玄関子機および中継アダプタの斜視図で、図３（ａ）は玄関子機の斜視図、図３（ｂ）は中継アダプタの斜視図、図３（ｃ）は中継アダプタの背面側より見た斜視図。
【図４】  本発明の集合住宅インターホンシステムの他の実施例における居室親機のブロック図。
【図５】  本発明の集合住宅インターホンシステムの他の実施例における居室親機のブロック図。
【図６】  本発明の集合住宅インターホンシステムの他の実施例におけるシステム構成図。
【図７】  本発明の集合住宅インターホンシステムの他の実施例におけるシステム構成図。
【符号の説明】
１…カメラ付集合玄関機
１ａ…一体型集合玄関機・制御機
１ｂ…一体盤
１１…カメラ
２…居室親機
２１…モニタ
２３…通話ボタン
２５…専用表示灯
３０…制御部
３１…ハンドセット
４…システム制御機
５…映像制御機
７…玄関子機
７０ａ…ケース（子機ケース）
７０ｃ…ハウジング（子機側ハウジング）
７０ｄ…係合ツメ
７１…中継アダプタ
Ｔ１…速結端子（第１の速結端子）
Ｔ２…速結端子（第２の速結端子）
Ｔ３…速結端子（第３の速結端子）
Ｔ４…速結端子（第４の速結端子）
Ｔ５…居室用速結端子
７１ｃ…コネクタ（アダプタ側コネクタ）
７１ｄ…係合溝
Ｓ…センサ
Ｌ１ａ…呼出・通話ライン（第１の呼出・通話ライン）
Ｌ１ｂ…映像ライン（第１の映像ライン）
Ｌ２ａ…呼出・通話ライン（第２の呼出・通話ライン）
Ｌ２ｂ…映像ライン（第２の映像ライン）
Ｌ３…第３の伝送ライン
【図１】
0003872988.tif 000002
【図２】
0003872988.tif 000003
【図３】
0003872988.tif 000004
【図４】
0003872988.tif 000005
【図５】
0003872988.tif 000006
【図６】
0003872988.tif 000007
【図７】
0003872988.tif 000008